(57)【要約】【課題】柔らかい光を作ることができるシャープナーを提供する。【解決手段】シャープナー７０は、発光面２１の中心Ｃ２から前方に延びる軸心Ｃ１を基準として同心円状に配置された円筒状の内側ルーバー部７１及び外側ルーバー部７２を備え、内側ルーバー部７１及び外側ルーバー部７２は、後端７１ｂ，７２ｂが発光面２１から近い側に配置され、前端７１ａ，７２ａが発光面２１から遠い側に配置されるとともに、内側ルーバー部７１の前端７１ａが外側ルーバー部７２の前端７２ａよりも発光面２１に近い側に配置されている。【選択図】図５
2016163521.tif 000002
【特許請求の範囲】
【請求項１】
発光面の中心から前方に延びる軸心を基準として同心円状に配置された円筒状の内側ルーバー部及び外側ルーバー部を備え、
前記内側ルーバー部及び前記外側ルーバー部は、後端が前記発光面から近い側に配置され、前端が前記発光面から遠い側に配置されるとともに、前記内側ルーバー部の前記前端が前記外側ルーバー部の前記前端よりも前記発光面に近い側に配置されている、
ことを特徴とするシャープナー。
【請求項２】
前記軸心を含む平面で切った前記シャープナーの断面において、
前記軸心を挟んで一方側に位置する前記外側ルーバー部の後端側内周縁と他方側に位置する前記外側ルーバー部の前端側内周縁とを通る直線を第１基準線としたときに、
前記内側ルーバー部の前端側外周縁は、前記断面の前記一方側に表れる部分が、前記第１基準線上、又はこれよりも前側に位置する、
ことを特徴とする請求項１に記載のシャープナー。
【請求項３】
前記内側ルーバー部の前記後端の近傍に配設された集光レンズを有し、
前記断面における前記発光面の前記他方側の端部と前記集光レンズの中心とを通る直線を第２基準線としたときに、
前記内側ルーバー部の前端側内周縁は、前記断面の前記一方側に表れる部分が、前記第２基準線上、又はこれよりも後側に位置する、
ことを特徴とする請求項２に記載のシャープナー。
【請求項４】
前記内側ルーバー部の前記後端は、前記外側ルーバー部の前記後端よりも、前記発光面に近い側に配置されている、
ことを特徴とする請求項２又は３に記載のシャープナー。
【請求項５】
前記内側ルーバー部の後端側外周縁は、前記軸心からの距離が、前記軸心から前記発光面の端部までの距離と同じ又はこれよりも長い、
ことを特徴とする請求項４に記載のシャープナー。
【請求項６】
前記断面における前記発光面の前記一方側の端部と前記外側ルーバー部の前記一方側の前端側内周縁とを通る直線を第３基準線としたときに、
前記内側ルーバー部の前記後端側外周縁は、前記第３基準線上、又はこれよりも前記軸心に近い側に位置する、
ことを特徴とする請求項５に記載のシャープナー。
【請求項７】
前記断面における前記発光面の前記一方側の端部と前記外側ルーバー部の前記一方側の前端側内周縁とを通る直線を第３基準線としたときに、
前記内側ルーバー部の前記後端側外周縁は、前記第３基準線上を除くこれよりも前記軸心から遠い側に位置する、
ことを特徴とする請求項５に記載のシャープナー。
【請求項８】
前記外側ルーバー部の外側に配設された環状の取付リング部と、
前記内側ルーバー部と前記外側ルーバー部とを連結する第１アーム部と、
前記外側ルーバー部と前記取付リング部とを連結する第２アーム部と、を備える、
ことを特徴とする請求項１ないし７のいずれか１項に記載のシャープナー。
【請求項９】
前記内側ルーバー部、前記第１アーム部、前記外側ルーバー部、前記第２アーム部、及び前記取付リング部が一体成形されている、
ことを特徴とする請求項８に記載のシャープナー。
【請求項１０】
前記軸心が中心を通る前記発光面を有する光源と、
前記発光面からの光を反射させるリフレクターと、
前記発光面及び前記リフレクターからの光を制御して出射するシャープナーと、を備え、
前記シャープナーが請求項８又は９に記載のシャープナーである、
ことを特徴とする照明器具。
【請求項１１】
前記シャープナーの前記内側ルーバー部の内側から出射される光を第１出射光、前記内側ルーバー部と前記外側ルーバー部との間から出射される光を第２出射光、及び前記外側ルーバー部と前記取付リング部との間から出射される光を第３出射光とし、
さらに、前記断面における前記第１出射光、前記第２出射光、及び前記第３出射光の出射角度を、第１出射角度、第２出射角度、及び第３出射角度としたときに、
前記第１出射角度、前記第２出射角度、及び前記第３出射角度が、所定の出射角度±５度に収まる、
ことを特徴とする請求項１０に記載の照明器具。
【発明の詳細な説明】
【技術分野】
【０００１】
本発明は、光源からの直接光及びリフレクターからの反射光を制御するシャープナー及びこれを備えた照明器具に関する。
【背景技術】
【０００２】
本出願人は、照明器具において、光源からの直接光及びリフレクターからの反射光を制御して出射するシャープナーを提案した（特許文献１参照）。【０００３】
このシャープナーは、それぞれ円筒状に形成された内側ルーバー部及び外側ルーバー部を有している。これら内側ルーバー部及び外側ルーバー部は、共通の軸心を基準とした同心円状に配置されていて、リフレクターの光出射口に挿入するようにして配設されている。【０００４】
このシャープナーは、比較的、エッジの効いた鋭い光を作るものである。すなわち、内側ルーバー部の内側を通過して出射される光と、内側ルーバー部と外側ルーバー部との間を通過して出射される光とによって照射される領域は、比較的はっきりと区別されて、鮮明な照射が行われる。
【先行技術文献】
【特許文献】
【０００５】
【特許文献１】特願２０１４−１７４６１４号
【発明の概要】
【発明が解決しようとする課題】
【０００６】
しかしながら、上述のシャープナーは、エッジの効いた鋭い光を作る目的で構成されたものであるため、柔らかい光を作るという観点からは、必ずしも好適なものであるとはいえない。【０００７】
本発明は、上述した事情に鑑みてなされたものであり、柔らかい光を作ることができるシャープナー及びこれを備えた照明器具を提供することを目的とする。
【課題を解決するための手段】
【０００８】
請求項１に係る発明は、シャープナーにおいて、発光面の中心から前方に延びる軸心を基準として同心円状に配置された円筒状の内側ルーバー部及び外側ルーバー部を備え、
前記内側ルーバー部及び前記外側ルーバー部は、後端が前記発光面から近い側に配置され、前端が前記発光面から遠い側に配置されるとともに、前記内側ルーバー部の前記前端が前記外側ルーバー部の前記前端よりも前記発光面に近い側に配置されている、ことを特徴とする。【０００９】
請求項２に係る発明は、請求項１に係るシャープナーにおいて、前記軸心を含む平面で切った前記シャープナーの断面において、前記軸心を挟んで一方側に位置する前記外側ルーバー部の後端側内周縁と他方側に位置する前記外側ルーバー部の前端側内周縁とを通る直線を第１基準線としたときに、前記内側ルーバー部の前端側外周縁は、前記断面の前記一方側に表れる部分が、前記第１基準線上、又はこれよりも前側に位置する、
ことを特徴とする。【００１０】
請求項３に係る発明は、請求項２に係るシャープナーにおいて、前記内側ルーバー部の前記後端の近傍に配設された集光レンズを有し、前記断面における前記発光面の前記他方側の端部と前記集光レンズの中心とを通る直線を第２基準線としたときに、前記内側ルーバー部の前端側内周縁は、前記断面の前記一方側に表れる部分が、前記第２基準線上、又はこれよりも後側に位置する、ことを特徴とする。【００１１】
請求項４に係る発明は、請求項２又は３に係るシャープナーにおいて、前記内側ルーバー部の前記後端は、前記外側ルーバー部の前記後端よりも、前記発光面に近い側に配置されている、ことを特徴とする。【００１２】
請求項５に係る発明は、請求項４に係るシャープナーにおいて、前記内側ルーバー部の後端側外周縁は、前記軸心からの距離が、前記軸心から前記発光面の端部までの距離と同じ又はこれよりも長い、ことを特徴とする。【００１３】
請求項６に係る発明は、請求項５に係るシャープナーにおいて、前記断面における前記発光面の前記一方側の端部と前記外側ルーバー部の前記一方側の前端側内周縁とを通る直線を第３基準線としたときに、前記内側ルーバー部の前記後端側外周縁は、前記第３基準線上、又はこれよりも前記軸心に近い側に位置する、ことを特徴とする。【００１４】
請求項７に係る発明は、請求項５に係るシャープナーにおいて、前記断面における前記発光面の前記一方側の端部と前記外側ルーバー部の前記一方側の前端側内周縁とを通る直線を第３基準線としたときに、前記内側ルーバー部の前記後端側外周縁は、前記第３基準線上を除くこれよりも前記軸心から遠い側に位置する、ことを特徴とする。【００１５】
請求項８に係る発明は、請求項１ないし７のいずれか１項に係るシャープナーにおいて、前記外側ルーバー部の外側に配設された環状の取付リング部と、前記内側ルーバー部と前記外側ルーバー部とを連結する第１アーム部と、前記外側ルーバー部と前記取付リング部とを連結する第２アーム部と、を備える、ことを特徴とする。【００１６】
請求項９に係る発明は、請求項８に係るシャープナーにおいて、前記内側ルーバー部、前記第１アーム部、前記外側ルーバー部、前記第２アーム部、及び前記取付リング部が一体成形されている、ことを特徴とする。【００１７】
請求項１０に係る発明は、照明器具において、前記軸心が中心を通る前記発光面を有する光源と、前記発光面からの光を反射させるリフレクターと、前記発光面及び前記リフレクターからの光を制御して出射するシャープナーと、を備え、前記シャープナーが請求項８又は９に係るシャープナーである、ことを特徴とする。【００１８】
請求項１１に係る発明は、請求項１０に係る照明器具において、前記シャープナーの前記内側ルーバー部の内側から出射される光を第１出射光、前記内側ルーバー部と前記外側ルーバー部との間から出射される光を第２出射光、及び前記外側ルーバー部と前記取付リング部との間から出射される光を第３出射光とし、さらに、前記断面における前記第１出射光、前記第２出射光、及び前記第３出射光の出射角度を、第１出射角度、第２出射角度、及び第３出射角度としたときに、前記第１出射角度、前記第２出射角度、及び前記第３出射角度が、所定の出射角度±５度に収まる、ことを特徴とする。
【発明の効果】
【００１９】
請求項１の発明によれば、シャープナーは、それぞれ円筒状に形成された内側ルーバー部及び外側ルーバー部を備えている。これら内側ルーバー部及び外側ルーバー部は、発光面の中心から前側に延びる軸心を共通の基準として同心円状に配置されている。また、内側ルーバー部及び外側ルーバー部は、後端が発光面から近い側に配置され、前端が発光面から遠い側に配置されている。さらに、内側ルーバー部の前端が、外側ルーバー部の前端よりも発光面に近い側に位置している。【００２０】
このように、シャープナーは、内側ルーバー部の前端が、外側ルーバー部の前端よりも発光面に近い側に位置されているので、内側ルーバー部及び外側ルーバー部の前端が同じ位置に位置する場合を比較して、内側ルーバー部の後端側から入射して内側を通って前端側から出射される光のうち、軸心から離れて行く光の光量、及び出射角度を増加させることができる。また、内側ルーバー部と外側ルーバー部との間の間隙における後端側から入射して間隙を通って前端側から出射される光のうち、軸心に近づく光の光量、及び出射角度を増加させることができる。さらに、内側ルーバー部の前端の位置を適宜に調整することにより、内側ルーバー部の内側から出射される光の出射角度と、内側ルーバー部と外側ルーバー部との間隙から出射される光の出射角度とをほぼ同じにすることが可能である。この場合には、内側ルーバー部の内側から出射される光と、内側ルーバー部と外側ルーバー部との間隙から出射される光とにより、ほぼ同じ領域を照射することができるので、柔らかい光とすることができる。【００２１】
請求項２の発明によれば、内側ルーバー部の前端側外周縁は、断面の一方側に表れる部分が、第１基準線上、又はこれよりも前側に位置する。【００２２】
これにより、内側ルーバー部は、内側ルーバー部と外側ルーバー部との間から出射される光のうち、軸心に近づく光の光量及び出射角度を調整（制御）することができる。【００２３】
なお、この逆の場合、すなわち、内側ルーバー部の前端側外周縁が、第１基準線よりも後側に位置する場合には、第１基準線上を通る光は、内側ルーバー部の前端側に当たらない。このため、内側ルーバー部の前端側は、内側ルーバー部と外側ルーバー部との間隙を通って軸心に近づく光の光量及び照射角度を制御（調整）することができなくなる。【００２４】
請求項３の発明によれば、内側ルーバー部の前端側内周縁は、断面の一方側に表れる部分が、第２基準線上、又はこれよりも後側に位置する。【００２５】
これにより、内側ルーバー部は、発光面から出て集光レンズの中心を通って内側ルーバー部の内側を通過する光の光量を減少させることがない。【００２６】
なお、この逆の場合、すなわち、内側ルーバー部の前端側内周縁が、第２基準線よりも前側に位置する場合には、内側ルーバー部から出射される光の光量及び出射角度を減少させることになる。【００２７】
請求項４の発明によれば、内側ルーバー部の後端は、外側ルーバー部の後端よりも、発光面に近い側に配置されている。【００２８】
これにより、内側ルーバー部は、発光面から出て内側ルーバー部の後端側から入る光の光量を多くすることができる。【００２９】
請求項５の発明によれば、内側ルーバー部の後端側外周縁は、軸心からの距離が、軸心から発光面の端部までの距離と同じ又はこれよりも長い。【００３０】
これにより、内側ルーバー部は、発光面から出て、内側ルーバー部と外側ルーバー部との間隙から出射される光に、軸心に近づく方向の直射光が含まれないようにすることができる。【００３１】
請求項６の発明によれば、内側ルーバー部の後端側外周縁は、第３基準線上、又はこれよりも軸心に近い側に位置する。【００３２】
この場合には、発光面の端部近傍から出た光は、内側ルーバー部と外側ルーバー部との間隙を通り、軸心から遠ざかる直接光として出射される。【００３３】
請求項７の発明によれば、内側ルーバー部の後端側外周縁は、第３基準線よりも軸心から遠い側に位置する。【００３４】
この場合には、発光面から出た光は、内側ルーバー部と外側ルーバー部との間隙を通って、直接光として出射されることはない。言い換えると、内側ルーバー部と外側ルーバー部との間隙から出射される光をすべて、例えばリフレクター等による制御が付加された間接光とすることができる。【００３５】
請求項８の発明によれば、シャープナーは、内側ルーバー部、外側ルーバー部、外側ルーバー部の外側に配設された環状の取付リング部、内側ルーバー部と外側ルーバー部とを連結する第１アーム部、外側ルーバー部と取付リング部とを連結する第２アーム部とを備えている。【００３６】
これにより、例えば、フードによってその内側に取付リング部を保持することにより、内側ルーバー部及び外側ルーバー部を所定の位置に配置することができる。【００３７】
請求項９の発明によれば、シャープナーは、内側ルーバー部、第１アーム部、外側ルーバー部、第２アーム部、及び取付リング部が一体成形されている。【００３８】
これにより、これらが別体に構成されていて、これらを組み立てる場合を比較して、部品点数を減らして、組み立て工数を低減することができる。【００３９】
請求項１０の発明によれば、照明器具は、軸心が中心を通る発光面を有する光源と、発光面からの光を反射させるリフレクターと、発光面及びリフレクターからの光を制御して出射するシャープナーとを備え、シャープナーが、取付リング部、内側ルーバー部、外側ルーバー部、第１アーム部、及び第２アーム部を有している。【００４０】
請求項１１の発明によれば、照明器具は、第１出射角度、第２出射角度、及び第３出射角度が、所定の出射角度±５度に収まるように構成されている。【００４１】
これにより、第１出射光、第２出射光、及び第３出射光のそれぞれによる照射領域がほぼ重なって、照射領域全体として、均斉性の高い、柔らかい光とすることができる。
【図面の簡単な説明】
【００４２】
【図１】（Ａ）は照明器具１を前端側から見た斜視図であり、（Ｂ）は照明器具１を前端側から見た図である。
【図２】（Ａ）は図１（Ｂ）中のＡ−Ａ線矢視図であり、（Ｂ）は図２（Ａ）中の部分Ｂの拡大図であり、（Ｃ）は図２（Ａ）中の部分Ｃの拡大図である。
【図３】シャープナー７０を後端側から見た分解斜視図である。
【図４】シャープナー７０を前端側から見た斜視図である。
【図５】シャープナー７０及び光源２０を、軸心Ｃ１を含む平面で切った断面の模式図である。
【図６】照明器具１において光源２０から出た光の光路を説明する光路図である。
【発明を実施するための形態】
【００４３】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
【００４４】
＜実施形態１＞
図１〜図６を参照して、本発明を適用した実施形態１に係る照明器具１及びこれに使用されるシャープナー７０について説明する。なお、以下では、説明の便宜上、図１中、図２中の軸心（光軸）Ｃ１に沿った方向のうちの矢印で示す「後」及び「前」がそれぞれ照明器具１、シャープナー７０等の「後（後側、後端側）」及び「前（前側、前端側）」に対応するものとして説明する。
【００４５】
ここで、「シャープナー」とは、一般的なグレアカットルーバーと同じ範疇に属し、１次光学系である光学リフレクターの配光を、より細やかに調整することができる光学コントロール装置のことをいうものとする。
【００４６】
図１、図２を参照して、照明器具１について説明する。
【００４７】
ここで、図１（Ａ）は、照明器具１を斜め前方から見た斜視図であり、（Ｂ）は、照明器具１を前方から見た図である。また、図２（Ａ）は、図１（Ｂ）中のＡ−Ａ線矢視図であり、（Ｂ）は、図２（Ａ）中の部分Ｂの拡大図であり、（Ｃ）は、図２（Ａ）中の部分Ｃの拡大図である。
【００４８】
照明器具１は、後側からほぼ順に、ソケット１０、光源２０、ボディ３０、リフレクター４０、フード５０、ホルダ６０、及びシャープナー７０を備えている。これらは、軸心Ｃ１を中心としたほぼ回転体状に形成されている。
【００４９】
このうち、ソケット１０は、円筒状の外壁１１、この外壁１１の内側に配設されたヒートシンク１２、及びヒートシンク１２と外壁１１との間に放射状に配設された多数の放熱フィン１３を有している。ヒートシンク１２の前面（下面）は、平坦に形成されていて光源取付面１２ａとなっている。
【００５０】
光源２０は、光源取付面１２ａに取り付けられている。光源２０としては、例えば、ＣＯＢチップオンボード型（ＣＯＢタイプ）の面状光源を使用することができる。光源２０は、面状の発光面２１を有しており、その発光面２１の中心Ｃ２を軸心Ｃ１が通っている。発光面２１は、軸心Ｃ１に対して直交している。なお、以下では、発光面２１が、平面状で、直径ｄ１（図５参照）の円形に形成されている場合、つまり、発光面２１の端部２１ａ（図５参照）の直径がｄ１である場合を例に説明する。この発光面２１の直径ｄ１は、後述するシャープナー７０の内側ルーバー部７１の後端側外周縁ａの直径ｄ２と同じ又はこれよりも小さく設定されている（ｄ１≦ｄ２、ただし、図示例ではｄ１＜ｄ２）。
【００５１】
ボディ３０は、ほぼ円筒状に形成されていて、その後端部が、上述のソケット１０の前端部に固定されている。
【００５２】
リフレクター４０は、例えば、放物線の一部を、軸心Ｃ１を基準として回転させた回転体状に形成されている。リフレクター４０は、内側が放物面状の反射面４０ａとなっていて、後端には光源２０に対向した光入射口（開口部）４０ｂが形成され、また、前端には前方を向いた光出射口（開口部）４０ｃが形成されている。リフレクター４０は、後端側がソケット１０の内側に収納され、残りの前端側がボディ３０の内側に収納されている。リフレクター４０は、発光面２１から出て光入射口４０ｂから入射された光を、反射面４０ａで反射して、制御された反射光として光出射口４０ｃから出射する。
【００５３】
フード５０は、ほぼ円筒状に形成されている。フード５０を後側から順に後部５１、中間部５２、及び前部５３に分けると、後部５１及び前部５３は肉厚が比較的薄い円筒状に形成され、残る中間部５２は肉厚が比較的厚い円筒状に形成されている。
【００５４】
後部５１は、薄い筒状に形成されていて、後端近傍が、ボディ３０の前端部に取り付けられている。
【００５５】
中間部５２は、内周面に、後側から順に、めねじ部５２ａ、逃げ部５２ｂ、リング係合溝５２ｃ、保護ガラス収納部５２ｄ、及び支持突部５２ｅが形成されている。このうち、めねじ部５２ａには、後述するホルダ６０のおねじ部６０ａが螺合される。逃げ部５２ｂは、めねじ部５２ａを加工する際の工具（不図示）を逃がすためのスペースである。リング係合溝５２ｃは、内周面の全周にわたって凹状に形成されている。このリング係合溝５２ｃには、弾性を有するスナップリングＲが係合されている。スナップリングＲは、後述するシャープナー７０の取付リング部７３を前側から支持するものである。保護ガラス収納部５２ｄは、例えば、法令等によって保護ガラス（不図示）の取付が義務付けられている場合等に、ここに保護ガラスを収納する空間である。支持突部５２ｅは、断面形状が三角形であり、内周面の全周にわたって凸状に形成されている。上述の保護ガラスを取り付ける場合には、保護ガラスの前面の周端縁をこの支持突部５２ｅに載せ、保護ガラスの後面の周端縁をスナップリングＲで止めるようにする。
【００５６】
以上説明した中間部５２の前側に続く前部５３には、内周面に、周方向に沿ってバッフル加工部５３ａが設けられている。
【００５７】
ホルダ６０は、ほぼ円筒状に形成されていて、上述のフード５０の内側に装着されている。ホルダ６０の直径は、図２（Ａ）に示すように、上述のリフレクター４０の光出射口４０ｃの直径とほぼ同じとなっている。ホルダ６０は、前後方向における中間部の外周面に、上述のフード５０のめねじ部５２ａに螺合されるおねじ部６０ａが形成（螺刻）されている。ホルダ６０の前端は、後述のシャープナー７０の取付リング部７３を後方から押圧する押圧部６０ｂを有している。この押圧部６０ｂの外側には、全周にわたって環状切欠部６０ｃが形成されている。この環状切欠部６０ｃは、シャープナー７０が使用されない場合に、スナップリングＲとの干渉を避けるためのものである。ホルダ６０は、スナップリングＲとの間に、シャープナー７０の取付リング部７３を保持している。
【００５８】
図３〜図６を参照して、シャープナー７０について説明する。
【００５９】
ここで、図３は、シャープナー７０を後端側から見た分解斜視図である。また、図４は、シャープナー７０を前端側から見た斜視図である。また、図５は、シャープナー７０及び光源２０を、軸心Ｃ１を含む平面で切った断面の模式図である。また、図６は、照明器具１において光源２０から出た光の光路を説明する光路図である。
【００６０】
シャープナー７０は、これらの図に示すように、内側ルーバー部７１、外側ルーバー部７２、取付リング部７３、第１アーム部７４、及び第２アーム部７５を備えており、さらに、集光レンズ７６が取り付けられている。
【００６１】
内側ルーバー部７１は、軸心Ｃ１を基準（中心）としてほぼ円筒状に形成されている。ここで、図５に示すように、内側ルーバー部７１の前側の端面を前端７１ａ、後側の端面を後端７１ｂとすると、内側ルーバー部７１の後端側（後端７１ｂの近傍）には、レンズ取付部７１ｃが設けてある。ここで、レンズ取付部７１ｃに取り付けられる集光レンズ７６は、図２（Ｂ）、図５に示すように、表面７６ａが凸面で、裏面７６ｂが平面の凸レンズである。表面７６ａと軸心Ｃ１との交点が、集光レンズ７６の中心Ｃ３となる。
【００６２】
図２（Ｂ）に示すように、レンズ取付部７１ｃには、その内周面の前端側に凸部７１ｄが配設され、後端側に爪部７１ｅが配設されている。このうち凸部７１ｄは、内周面を３等分する位置のそれぞれに形成されている。各凸部７１ｄは、内側がすぼまる４つの傾斜面で構成されていて、このうち後側の傾斜面は、中心に向かって前側に傾斜する載置面７１ｆとなっている。一方、爪部７１ｅは、周方向の位置については、上述の３個の凸部７１ｄの間に配設されている。各爪部７１ｅは、周方向の両側に軸心Ｃ１に沿ったスリットＳが形成されている。爪部７１ｅはこのスリットＳにより、拡開及び縮径方向に弾性変形可能となっている。爪部７１ｅの内側には、係合爪７１ｇが突設されている。
【００６３】
上述のレンズ取付部７１ｃには、次のようにして、集光レンズ７６が取り付けられる。内側ルーバー部７１の後端７１ｂの開口部に集光レンズ７６の表面７６ａを対向させる。集光レンズ７６の裏面７６ｂを軸心Ｃ１に沿って前方に押し込む。このとき、爪部７１ｅは、その係合爪７１ｇに集光レンズ７６が当たることにより、弾性変形して外側に広がって、集光レンズ７６の通過を許容する。集光レンズ７６は、その表面７６ａが凸部７１ｄに当接すると、それ以上の押し込みができなくなる。これとほぼ同時に、集光レンズ７６の裏面７６ｂが係合爪７１ｇを通過し終える。これにより、爪部７１ｅは、弾性により元に戻って集光レンズ７６の裏面７６ｂの周端縁に係合する。以上により、集光レンズ７６は、レンズ取付部７１ｃに取り付けられて、位置決めされる。
【００６４】
図５に示すように、内側ルーバー部７１の後端７１ｂの外周縁を、後端側外周縁ａとすると、本実施形態では、内側ルーバー部７１の後端側外周縁ａの直径ｄ２と、上述の光源２０の発光面２１の直径ｄ１の間に、
ｄ１≦ｄ２
の関係が成り立つように構成されている。ただし、図示例では、このうち、ｄ１＜ｄ２である場合を示している。
【００６５】
なお、この点については、シャープナー７０の全体の説明をした後、再度、説明する。
【００６６】
内側ルーバー部７１は、図２（Ｂ）に示すように、内周面における、上述のレンズ取付部７１ｃを除く部分にローレット加工部７１ｈが設けられている。ローレット加工部７１ｈは、反射光を拡散させるためのものであり、軸心Ｃ１に沿った前後方向の凸条と凹条とが周方向に沿って多数繰り返されることにより形成されている。
【００６７】
内側ルーバー部７１の内側は、図５に示すように、円柱状の第１空間Ｇ１となっている。
【００６８】
以上説明した内側ルーバー部７１に対し、外側ルーバー部７２は、軸心Ｃ１を共通な基準（中心）とした、内側ルーバー部７１よりも直径が大きいほぼ円筒状に形成されている。内側ルーバー部７１と外側ルーバー部７２とは、軸心Ｃ１を基準として同心円状に配置されている。外側ルーバー部７２は、内側ルーバー部７１の前端７１ａ側を覆うように配設されていて、内側ルーバー部７１と外側ルーバー部７２との間には、環状（ドーナツ状）の間隙である第２空間Ｇ２が形成されている。外側ルーバー部７２の前側の端面を前端７２ａ、また後側の端面を後端７２ｂとすると、外側ルーバー部７２の内周面には、前端７２ａから後端７２ｂまでの全長にわたって、ローレット加工部７２ｃ（図３参照）が設けられている。このローレット加工部７２ｃは、内側ルーバー部７１のローレット加工部７１ｈと同様である。
【００６９】
図３、図４に示すように、外側ルーバー部７２と内側ルーバー部７１とは、第１アーム部７４によって連結されている。第１アーム部７４は、前後方向に長い板状に形成されており、第２空間Ｇ２の後端側を周方向に３等分する位置のそれぞれに配設されており、内側ルーバー部７１の外周面と外側ルーバー部７２の内周面とを連結している。
【００７０】
取付リング部７３は、軸心Ｃ１を共通な基準（中心）とした、外側ルーバー部７２よりも直径が大きいほぼ円筒状に形成されている。取付リング部７３は、上述の内側ルーバー部７１及び外側ルーバー部７２に対し同心円状に配置されている。取付リング部７３は、内側ルーバー部７１及び外側ルーバー部７２と比較して、軸心Ｃ１に沿った方向の長さが短い円筒状に形成されている。取付リング部７３は、外側ルーバー部７２の前端７２ａ近傍を覆うように配設されていて、外側ルーバー部７２と取付リング部７３との間には、環状（ドーナツ状）の間隙である第３空間Ｇ３が形成されている。取付リング部７３の前側の端面を前端７３ａ、また後側の端面を後端７３ｂとすると、取付リング部７３の内周面には、前端７３ａから後端７３ｂまでの全長にわたって、ローレット加工部７３ｃが設けられている。このローレット加工部７３ｃは、内側ルーバー部７１のローレット加工部７１ｈと同様である。
【００７１】
取付リング部７３と外側ルーバー部７２とは、第２アーム部７５によって連結されている。第２アーム部７５は、放射方向に長い板状に形成されており、第３空間Ｇ３を周方向に３等分する位置のそれぞれに配設されて、外側ルーバー部７２の外周面と取付リング部７３の内周面とを連結している。なお、３個の第２アーム部７５の周方向の配設位置については、３個の第１アーム部７４と同じ位置に設定されている。取付リング部７３の前端７３ａの外周側には、全周にわたって環状切欠部７３ｄ（図２（ｃ）参照）が形成されている。
【００７２】
以上説明したシャープナー７０は、集光レンズ７６を除く部分、すなわち、内側ルーバー部７１、外側ルーバー部７２、取付リング部７３、第１アーム部７４、及び第２アーム部７５が一体成形されている。これにより、これらを複数の部材で別体に形成して組み立てる場合と比較して、部品点数を１つとして、組み立て工数を割愛することができる。
【００７３】
上述構成のシャープナー７０は、図２（Ａ），（Ｃ）に示すように、取付リング部７３が、スナップリングＲとホルダ６０とによって挟持されることにより、フード５０の内側に装着（位置決め固定）されている。
【００７４】
フード５０の内周面のリング係合溝５２ｃには、スナップリングＲが係合されている。このスナップリングＲに対して、取付リング部７３の前端７３ａの環状切欠部７３ｄが係合されている。一方、フード５０の内周面には、上述のようにめねじ部５２ａが螺刻されていて、このめねじ部５２ａにホルダ６０のおねじ部６０ａを螺合させてねじ込むことにより、ホルダ６０の前端の押圧部６０ｂによって、取付リング部７３の後端７３ｂを押圧している。この押圧により、取付リング部７３は、スナップリングＲとホルダ６０との間で挟持され、これにより、シャープナー７０全体が、図２（Ａ）に示す所定の位置に位置決めされて固定されている。
【００７５】
この位置決め状態において、シャープナー７０は、内側ルーバー部７１及び外側ルーバー部７２の後端側がリフレクター４０の内側に挿入されている。また、取付リング部７３とこの後端側に連続するホルダ６０とによって、いわゆる第３のルーバー部を構成している。この際、ホルダ６０の後端がリフレクター４０の光出射口４０ｃに近接されていて、これらの間から光が漏洩し、あるいは不要な反射が発生することを防止している。
【００７６】
つづいて、図５、図６を参照して、シャープナー７０の各部の位置関係、及び照明器具１の発光面２１から出た光の光路について説明する。ただし、図６に示すシャープナー７０の装着位置は、図２（Ａ）に示すシャープナー７０の装着位置とは異なる。すなわち、図２（Ａ）では、シャープナー７０を、その前端のすぐ前側に、空間としての保護ガラス収納部５２ｄを確保した状態で、スナップリングＲとホルダ６０とによって取付リング部７３を挟持することで装着している。このため、仮に、円板状の保護ガラスを、スナップリングＲを使用して、支持突部５２ｅに装着した場合でも、シャープナー７０の装着位置は変わらない。この場合には、保護ガラスの装着の有無にかかわらず、シャープナー７０の装着位置が変わらないので、光源２０の発光面２１から出た光の光路は、高い精度で一致することになる。
【００７７】
これに対して、図６に示すシャープナー７０は、保護ガラス収納部５２ｄを確保することなく、シャープナー７０の取付リング部７３の前端７３ａを支持突部５２ｅに当接させ、この支持突部５２ｅとホルダ６０との間で取付リング部７３を挟持することで装着している。この場合には、スナップリングＲは不要である。
【００７８】
以上では、保護ガラスについて説明したが、保護ガラス（不図示）に代えて、例えば、オプションとしての円板状のフィルタ（不図示）の装着の有無に関しても同様である。
【００７９】
以上でシャープナー７０についての全体的な説明を終える。
【００８０】
つづいて、上述のシャープナー７０の特徴的な構成、及び作用・効果について説明する。
【００８１】
ここで、説明の便宜上、図５中及び図６中における軸心Ｃ１を境界として、右側を一方側とし、左側を他方側とする。
【００８２】
また、図５に示すように、光源２０の発光面２１の端部２１ａの直径を直径ｄ１（発光面２１の直径と同じ）とし、内側ルーバー部の後端側外周縁ａの直径を直径ｄ２とする。
【００８３】
また、外側ルーバー部７２の一方側の後端側内周縁ｃと他方側の前端側内周縁ｄとを通る直線を、第１基準線Ｍ１とする。また、光源２０の発光面２１の他方側の端部２１ａと集光レンズ７６の中心Ｃ３とを通る直線を第２基準線Ｍ２とする。さらに、発光面２１の一方側の端部２１ａと外側ルーバー部の一方側の前端側内周縁ｄとを通る直線を第３基準線Ｍ３とする。
【００８４】
以上のように決めた場合、本実施形態のシャープナー７０は、以下のように構成されており、また、以下のような作用・効果を奏する。
【００８５】
（１）シャープナー７０は、それぞれ円筒状に形成された内側ルーバー部７１及び外側ルーバー部７２を備えている。これら内側ルーバー部７１及び外側ルーバー部７２は、発光面２１の中心Ｃ２から前側に延びる軸心Ｃ１を共通の基準として同心円状に配置されている。また、内側ルーバー部７１及び外側ルーバー部７２は、後端７１ｂ，７２ｂが発光面２１から近い側に配置され、前端７１ａ，７２ａが発光面２１から遠い側に配置されている。さらに、内側ルーバー部７１の前端７１ａが、外側ルーバー部７２の前端７２ａよりも発光面２１に近い側に位置している。
【００８６】
ここで、図６に示すように、内側ルーバー部７１の内側の第１空間Ｇ１の前端側から出射される光を第１出射光とし、また、内側ルーバー部７１と外側ルーバー部７２都の間の第２空間Ｇ２の前端側から出射される光を第２出射光とし、また、外側ルーバー部７２と取付リング部７３との間の第３空間Ｇ３の前端側から出射される光を第３出射光とする。さらに、第１出射光、第２出射光、及び第３出射光のそれぞれの出射光を、第１出射角度θ１、第２出射角度θ２、及び第３出射角度θ３とする。
【００８７】
以上のように決めると、シャープナー７０は、内側ルーバー部７１の前端７１ａが、外側ルーバー部７２の前端７２ａよりも発光面２１に近くなるように構成されているので、内側ルーバー部７１及び外側ルーバー部７２の前端７１ａ，７２ａが同じ位置にある場合と比較して、内側ルーバー部７１の後端７１ｂ側から入射して第１空間Ｇ１を通って前端７１ａ側から出射される第１出射光のうち、軸心Ｃ１から離れて行く光の光量、及び第１出射角度θ１を増加させることができる。
【００８８】
また、内側ルーバー部７１と外側ルーバー部７２の間の第２空間Ｇ２の後端側から入射して第２空間Ｇ２を通って前端側から出射される第２出射光のうち、軸心Ｃ１に近づく光の光量、及び第２出射角度θ２を増加させることができる。
【００８９】
さらに、内側ルーバー部７１の前端７１ａの位置を、外側ルーバー部７２の前端７２ａよりも発光面２１に近い側に位置するという条件の下で、適宜に調整することにより、第１空間Ｇ１から出射される第１出射光の第１出射角度θ１と、第２空間Ｇ２から出射される第２出射光の第２出射角度θ２とをほぼ同じにすることが可能である。この場合には、第１出射光と第２出射光とによって、ほぼ同じ領域を照射することができるので、柔らかい光とすることができる。
【００９０】
（２）内側ルーバー部７１の前端側外周縁ｂは、断面の一方側に表れる部分が、第１基準線Ｍ１上、又はこれよりも前側に位置している。すなわち、第１基準線Ｍ１を境界として、平面を２つの領域（矢印Ｆ１側の領域と矢印Ｒ１側の領域）に分けたときに、前端側外周縁ｂは、断面の一方側に表れる部分が、第１基準線Ｍ１を含む矢印Ｆ１側の領域に属している。
【００９１】
これにより、内側ルーバー部７１は、第２空間Ｇ２から出射される光のうち、軸心Ｃ１に近づく光の光量及び出射角度（図６中の第２出射角度θ２参照）を調整（制御）することができる。
【００９２】
なお、この逆の場合、すなわち、内側ルーバー部７１の前端側外周縁ｂが、第１基準線Ｍ１よりも後側に位置する場合には、第１基準線Ｍ１上を通る光は、内側ルーバー部７１の前端７１ａ側に当たらない。このため、内側ルーバー部７１の前端７１ａ側は、第２空間Ｇ２から出射されて軸心Ｃ１に近づく光の光量及び第２出射角度θ２を制御（調整）することができなくなる。
【００９３】
（３）内側ルーバー部７１の前端側内周縁ｅは、断面の一方側に表れる部分が、第２基準線Ｍ２上、又はこれよりも後側に位置している。すなわち、第２基準線Ｍ２を境界として、平面を２つの領域（矢印Ｆ２側の領域と矢印Ｒ２側の領域）に分けたときに、前端側内周縁ｅは、断面の一方側に表れる部分が、第２基準線Ｍ２を含む矢印Ｒ２側の領域に属している。
【００９４】
これにより、内側ルーバー部７１は、発光面２１から出て第１空間Ｇ１を通過してここから出射される光の光量を減少させることがない。
【００９５】
なお、この逆の場合、すなわち、内側ルーバー部７１の前端側内周縁ｅが、第２基準線Ｍ２よりも前側に位置する場合には、内側ルーバー部７１から出射される光の光量及び出射角度を減少させてしまうことになる。
【００９６】
ここで、内側ルーバー部７１が上述の（１）〜（３）の条件をすべて満たすのは、その前端７１ａが図５中の範囲Ｈ内にある場合である。すなわち、実線で示す、前端側外周縁ｂが第１基準線Ｍ１に載る位置と、二点鎖線で示す、前端側内周縁ｅが第２基準線Ｍ２に載る位置との間に、前端７１ａがある場合である。言い換えると、この範囲Ｈ内で、前端７１ａの位置を適宜に変更することができる。
【００９７】
（４）内側ルーバー部７１の後端７１ｂは、外側ルーバー部７２の後端７２ｂよりも、発光面２１に近い側に配置されている。
【００９８】
これにより、内側ルーバー部７１は、発光面２１から出て内側ルーバー部７１の後端７１ｂ側から入る光の光量を多くすることができる。
【００９９】
（５）内側ルーバー部７１の後端側外周縁ａは、軸心Ｃ１からの距離（ｄ２／２）が、軸心Ｃ１から発光面２１の端部２１ａまでの距離（ｄ１／２）と同じ又はこれよりも長い。すなわち、後端側外周縁ａの直径ｄ２は、発光面２１の端部２１ａの直径ｄ１と同じ又はこれよりも大きく設定されている（ｄ２≧ｄ１、ただし図６ではｄ２＞ｄ１の場合を図示）。
【０１００】
これにより、内側ルーバー部７１は、発光面２１から出て、第２空間Ｇ２から出射される光に、軸心Ｃ１に近づく方向の直射光が含まれないようにすることができる。
【０１０１】
（６）内側ルーバー部７１の後端側外周縁ａは、第３基準線Ｍ３上、又はこれよりも軸心Ｃ１に近い側に位置している。すなわち、第３基準線Ｍ３を境界として、平面を２つの領域（矢印Ｆ３側の領域と矢印Ｒ３側の領域）に分けたときに、後端側外周縁ａは、断面の一方側に表れる部分が、第３基準線Ｍ３上を含む矢印Ｆ３側の領域に属している。
【０１０２】
この場合には、発光面２１の端部２１ａ近傍から出た光の一部は、後端側外周縁ａの外側を通り、さらに、第２空間を通り、外側ルーバー部７２の前端側内周縁ｄの内側を通って、軸心Ｃ１から遠ざかる方向の直接光として出射される。
【０１０３】
（７）なお、内側ルーバー部７１の後端側外周縁ａが、第３基準線Ｍ３よりも軸心Ｃ１から遠い側に位置する場合（矢印Ｒ３側の領域に属する場合）には、発光面２１から出た光は、第２空間Ｇ２を通って、直接光として出射されることはない。言い換えると、第２空間Ｇ２から出射される光をすべて、例えばリフレクター４０（図６参照）等による制御が付加された間接光とすることができる。
【０１０４】
（８）シャープナー７０は、内側ルーバー部７１、外側ルーバー部７２、外側ルーバー部７２の外側に配設された環状の取付リング部７３、内側ルーバー部７１と外側ルーバー部７２とを連結する第１アーム部７４、及び外側ルーバー部７２と取付リング部７３とを連結する第２アーム部７５を備えている。
【０１０５】
これにより、例えば、フード５０によってその内側に取付リング部７３を保持することにより、内側ルーバー部７１及び外側ルーバー部７２を所定の位置に配置することができる。
【０１０６】
（９）シャープナー７０は、内側ルーバー部７１、第１アーム部７４、外側ルーバー部７２、第２アーム部７５、及び取付リング部７３が一体成形されている。
【０１０７】
これにより、これらが別体に構成されていて、これらを組み立てる場合を比較して、部品点数を減らして、組み立て工数を低減することができる。
【０１０８】
図６の光路図を参照して、上述のシャープナー７０が組み込まれた照明器具１の作用・効果について説明する。
【０１０９】
図６中の光路（光）Ｌ１〜Ｌ５は、以下の通りである。
【０１１０】
光路Ｌ１，Ｌ１は、２本図示されていて、発光面２１の一方側及び他方側の端部２１ａから出て、集光レンズ７６の中心Ｃ３、第１空間Ｇ１を通って、出射される光の光路である。この光路Ｌ１は、図５に示す第２基準線Ｍ２と一致している。この光路Ｌ１，Ｌ１は、内側ルーバー部７１の一方側及び他方側の前端側内周縁ｅ，ｅを通っている。２本の光路Ｌ１，Ｌ１がなす角度が第１出射角度θ１となる。この第１出射角度θ１の範囲内の光は、直接光となる。つまり、図示例では、第１空間Ｇ１から出射される光（第１出射光）は直接光となる。
【０１１１】
光路Ｌ２は、発光面２１の他方側の端部２１ａから出てリフレクター４０の反射面４０ａの点Ｐ１で反射された後、第２空間Ｇ２、内側ルーバー部７１の前端側外周縁ｂを通って出射される光の光路である。
【０１１２】
光路Ｌ３は、発光面２１の一方側の端部２１ａから出て、第２空間Ｇ２、外側ルーバー部７２の前端側内周縁ｄを通って出射される光の光路である。この光路Ｌ３は、図５に示す第３基準線Ｍ３と一致している。また、図示例では、この光路Ｌ３は、内側ルーバー部７１の後端側外周縁ａを通っている。
【０１１３】
光路Ｌ２と光路Ｌ３とのなす角度が第２出射角度θ２となる。この第２出射角度θ２の範囲内の光は、間接光となる。つまり、図示例では、第２空間Ｇ２から出射される光（第２出射光）は、反射面４０ａで反射された間接光となる。なお、図５に示すように、内側ルーバー部７１の後端側外周縁ａが第３基準線Ｍ３よりも軸心Ｃ１に近い側に位置する場合には、これに対応して、第２空間Ｇ２から出射される光に、一部、直接光が含まれることになる。なお、出射光の制御性を高めるという観点からは、第２空間Ｇ２から出射される光に、直接光が含まれないようにすることが好ましい。
【０１１４】
光路Ｌ４は、発光面２１の他方側の端部２１ａから出て反射面４０ａの点Ｐ２で反射された後、第３空間Ｇ３、外側ルーバー部７２の前端側外周縁ｆの近傍を通る間接光の光路である。
【０１１５】
光路Ｌ５は、発光面２１の一方側の端部２１ａから出て反射面４０ａの点Ｐ３で反射された後、外側ルーバー部７２の後端側外周縁ｇ、第３空間Ｇ３、フード５０の支持突部５２ｅの内端を通る間接光の光路である。
【０１１６】
光路Ｌ４と光路Ｌ５とがなす角度が第３出射角度θ３となる。この第３出射角度θ３の範囲内の光は、間接光となる。つまり、図示例では、第３空間Ｇ３から出射される光（第３出射光）は、反射面４０ａで反射された間接光となる。
【０１１７】
なお、以上では、第２空間Ｇ２から出射される第２出射角度θ２の光、及び第３空間Ｇ３から出射される第３出射角度θ３の光は、一方側についてのみ説明したが、他方側についても同様である。
【０１１８】
本実施形態の照明器具１は、上述の第１出射角度θ１、第２出射角度θ２、及び第３出射角度θ３が、所定の出射角度±５度に収まるように構成されている。
【０１１９】
これにより、一方側の光路Ｌ１、光路Ｌ２、光路Ｌ４がほぼ平行となり、また、他方側の光路Ｌ１、光路Ｌ３、光路Ｌ５がほぼ平行となり、第１空間Ｇ１、第２空間Ｇ２、及び第３空間Ｇ３から出射される光がほぼ重なって照射領域Ｆを構成するため、均斉性の高い、柔らかい光の照射領域Ｆとすることができる。
【符号の説明】
【０１２０】
１      照明器具
１０    ソケット
２０    光源
２１    発光面
２１ａ  発光面の端部
３０    ボディ
４０    リフレクター
５０    フード
６０    ホルダ
７０    シャープナー
７１    内側ルーバー部
７１ａ  内側ルーバー部の前端
７１ｂ  内側ルーバー部の後端
７２    外側ルーバー部
７２ａ  外側ルーバー部の前端
７２ｂ  外側ルーバー部の後端
７３    取付リング部
７４    第１アーム部
７５    第２アーム部
７６    集光レンズ
Ｃ１    軸心
Ｃ２    発光面の中心
Ｃ３    集光レンズの中心
ａ      内側ルーバー部の後端側外周縁
ｂ      内側ルーバー部の前端側外周縁
ｃ      外側ルーバー部の後端側内周縁
ｄ      外側ルーバー部の前端側内周縁
ｄ１    発光面の直径（発光面の端部の直径）
ｄ２    内側ルーバー部の後端側外周縁の直径
ｅ      内側ルーバー部の前端側内周縁
ｆ      外側ルーバー部の前端側外周縁
ｇ      外側ルーバー部の後端側外周縁
Ｇ１    第１空間（内側ルーバー部の内側）
Ｇ２    第２空間（内側ルーバー部と外側ルーバー部との間隙）
Ｇ３    第３空間（外側ルーバー部と取付リング部との間隙）
Ｍ１    第１基準線
Ｍ２    第２基準線
Ｍ３    第３基準線
θ１    第１出射角度（第１出射光の出射角度）
θ２    第２出射角度（第２出射光の出射角度）
θ３    第３出射角度（第３出射光の出射角度）
【図１】
2016163521.tif 000003
【図２】
2016163521.tif 000004
【図３】
2016163521.tif 000005
【図４】
2016163521.tif 000006
【図５】
2016163521.tif 000007
【図６】
2016163521.tif 000008
【国際調査報告】
2016163521.tif 000009
2016163521.tif 000010